(57)【要約】【課題】蒸気復水機能を有し、基板室を蓋体内に設置するものにおいて、製品の外形寸法を大きくすることなく、表示部への結露の発生を防止できるようにする。【解決手段】加熱手段３Ａ，３Ｂを有し、内釜２が着脱自在に収容される本体５と、基板室１１を有し、本体５にヒンジ６結合されて内釜２の上部開口を開閉自在に閉塞する蓋体７と、調理中に内釜２内の被加熱物から発生する蒸気を冷却して復水する水タンク４とを備え、水タンク４は、蓋体７のエリア内に収まるように配置され、基板室１１は、一部が水タンク４のエリアにかかるように配置する。【選択図】図１
2010094151.tif 000002
【特許請求の範囲】
【請求項１】
加熱手段を有し、内釜が着脱自在に収容される本体と、
基板室を有し、前記本体にヒンジ結合されて前記内釜の上部開口を開閉自在に閉塞する蓋体と、
調理中に前記内釜内の被加熱物から発生する蒸気を冷却して復水する水タンクとを備え、
前記水タンクは、前記蓋体のエリア内に収まるように配置され、
前記基板室は、一部が前記水タンクのエリアにかかるように配置されてなることを特徴とする炊飯器。
【請求項２】
前記基板室は、その占有面積の少なくとも１／３以上が前記水タンクのエリアにかかるように設定されてなることを特徴とする請求項１記載の炊飯器。
【請求項３】
前記水タンクを、前記本体の蓋体ヒンジ部を除く部位に配置したことを特徴とする請求項１又は請求項２記載の炊飯器。
【発明の詳細な説明】
【技術分野】
【０００１】
本発明は、調理中に内釜内の被加熱物から発生する蒸気を冷却して復水する水タンクを備えた炊飯器に関する。
【背景技術】
【０００２】
従来より、内釜内に収容した被加熱物から調理中に発生する蒸気を、冷却水を収容した容器（水タンク）内に導いて冷却水中に放散させることで復水するようにした炊飯器は知られている（例えば、特許文献１参照）。
【０００３】
【特許文献１】特開平１０−１９２１３４号公報（図１〜図３）
【発明の開示】
【発明が解決しようとする課題】
【０００４】
ところで、電子制御式の炊飯器にあっては、操作部や表示部を有する基板の装備は必須であり、その設置位置は次の２通りに大別される。
Ａ．製品本体部に設置されるもの
Ｂ．製品本体に回転自在に設けられた蓋体内に設置されるもの
このうち、操作部や表示部が製品本体部に設置される前記Ａのものにあっては、操作基板の設置スペースの確保が難しく、製品の外形寸法が大きくならざるを得ないという難点がある。
【０００５】
これに対し、操作部や表示部が蓋体内に設置される前記Ｂのものは、操作基板の設置スペースの確保が容易で、前記Ａのものに比し、製品の外形寸法を小さく設計できる利点があるものの、調理物を収容する内釜の上方に表示部が設置されるため、熱的影響を受けやすいという難点がある。そのため、一般に蓋体内には基板室を設け、基板室内に操作基板を収容するようにしている。しかしながら、この基板室内は温度変化が大きく、外気との温度差により表示部に結露が生じやすいという難点がある。
【０００６】
これを解決するためには、基板室内を略密閉し、乾燥剤を設置し、さらに基板室からなるべく遠ざかる位置に熱源（蓋ヒータなど）を移動させるなど、特別な配慮が必要である。しかし、熱源を基板室から遠ざける場合、被加熱物を加熱するための面積を小さくするか、もしくは製品寸法を大きくし、基板室を遠ざけるかの二者択一的選択しかない。
【０００７】
前述の蒸気を冷却して復水する水タンクを備えたものにあっては、水タンクを、本体後面の蓋ヒンジ部の下方に配置して後方へ突出するように設置している。このため、水タンク上方の空間を有効利用することができない。したがって、このような蒸気復水機能を持つ炊飯器にあっても、操作部や表示部を有する基板の設置に際し、依然として前述したような問題が存在していた。
【０００８】
本発明の技術的課題は、蒸気復水機能を有し、基板室を蓋体内に設置するものにおいて、製品の外形寸法を大きくすることなく、表示部への結露の発生を防止できるようにすることにある。
【課題を解決するための手段】
【０００９】
本発明に係る炊飯器は、加熱手段を有し、内釜が着脱自在に収容される本体と、基板室を有し、本体にヒンジ結合されて内釜の上部開口を開閉自在に閉塞する蓋体と、調理中に内釜内の被加熱物から発生する蒸気を冷却して復水する水タンクとを備え、水タンクは、蓋体のエリア内に収まるように配置され、基板室は、一部が水タンクのエリアにかかるように配置されてなるものである。
【発明の効果】
【００１０】
本発明の炊飯器によれば、水タンクを蓋体のエリア内に収まるように配置し、蓋体内に設けられる基板室を一部が水タンクのエリアにかかるように配置しているので、製品の外形寸法を大きくすることなく、表示部への結露の発生を防止することができ、部品の長寿命化を図ることができる。
【発明を実施するための最良の形態】
【００１１】
以下、図示実施形態により本発明を説明する。
図１は本発明の一実施形態に係る炊飯器の平面的に見た製品外形と内釜外形と基板室外形との位置関係を示す模式図、図２はその全体構成を示す縦断面図、図３はその全体構成を示す斜視図である。
【００１２】
本実施形態の炊飯器１は、図２のように被加熱物（米や水等）を入れた内釜２を誘導加熱コイル等の加熱手段３Ａで下方より加熱するとともに、上方に配置された加熱手段すなわち蓋ヒータ３Ｂにより上方からも加熱することで、被加熱物を炊きあげ、このとき発生する蒸気を冷却水を貯留した水タンク４に導いて冷却し復水（回収）する機能を有している。
【００１３】
これを更に詳述すると、炊飯器１は、図２及び図３のように加熱手段３Ａを有し内釜２が着脱自在に収容される本体５と、蓋ヒータ３Ｂを有し本体５の後部にヒンジ６により結合されて内釜２の上部開口を開閉自在に閉塞するとともに、本体５の前部に配置される水タンク４を上方より覆う蓋体７と、冷却水を貯留し本体前部の底板８上に着脱自在に載置される水タンク４と、内釜２と水タンク４との間に介在して調理中に内釜２内の被加熱物から発生する蒸気を水タンク４内に導いて冷却水中に放散させ復水させる蒸気導管（図示せず）とを有している。なお、水タンク４の設置位置は、本体５の前部に限られるものでなく、ヒンジ６部を除く部位であればよく、本体５の側部に配置することも可能である。
【００１４】
蓋体７は、上部が天板９により覆われているとともに、その前側の内部に結露対策のために略密閉された基板室１１が設けられている。基板室１１は、図１のようにその一部、ここでは基板室１１の占有面積（基板室外形Ａの面積）の少なくとも１／３以上が水タンク４のエリアにかかるように配置されている。また、基板室１１内には、その底部に操作基板１２が固定され、操作基板１２の上部に液晶表示装置１３が配置されていて、天板９に設けた表示窓９ａにより液晶表示部が視認できるようになっている。また、操作基板１２における表示窓９ａよりも奥側（図１で見て操作基板１２の右端部）に、ＬＥＤで構成されて動作状態（予約と炊飯と保温）示す発光体１４が取り付けられているとともに、天板９における発光体１４と対向する位置に、表示窓９ａの縁に沿って天板面より上方に突出する線状の透光凸部１５が天板９と一体に設けられ、さらに透光凸部１５と発光体１４との間に導光体１６が配置されていて、発光体１４による光を導光体１６によって透光凸部１５に導き、表示させることができるようになっている。なお、図１中のＢは内釜２の外形（内釜エリア）、Ｃは製品外形（製品エリア）、１７はスイッチをそれぞれ示している。これらスイッチ１７は、これらに対応させて天板９に設けたエンボス１８を押すことで操作できるようになっている。
【００１５】
本実施形態の炊飯器において、基板室１１の水タンクエリアとオーバーラップさせる範囲を、基板室占有面積の少なくとも１／３以上としたのは、実験の結果得られたものであり、水タンク４とのオーバーラップ範囲が基板室占有面積の１／３程度となる段階から表示部のくもり防止効果が発現してきたことによるものである。
【００１６】
また、水タンク４の設置位置を、ヒンジ６部を除く部位としたのは、水タンク４を本体後面のヒンジ６部の下方に配置してこれを蓋体７にて覆わせるためには、ヒンジ６部の構成が複雑となり、さらに製品外形の大形化を余儀なくされるからである。
【００１７】
このように、本実施形態の炊飯器においては、水タンク４を蓋体７のエリア内に収まるように配置し、蓋体７内に設けられる基板室１１を一部が水タンク４のエリアにかかるように配置しているので、製品外形Ｃの寸法を大きくすることなく、表示部への結露の発生を防止することができる。その結果、部品の寿命を延ばすことができる。
【図面の簡単な説明】
【００１８】
【図１】本発明の一実施形態に係る炊飯器の平面的に見た製品外形と内釜外形と基板室外形との位置関係を示す模式図である。
【図２】本発明の一実施形態に係る炊飯器の全体構成を示す縦断面図である。
【図３】本発明の一実施形態に係る炊飯器の全体構成を示す斜視図である。
【符号の説明】
【００１９】
１  炊飯器、２  内釜、３Ａ，３Ｂ  加熱手段、４  水タンク、５  本体、６  ヒンジ、７  蓋体、１１  基板室。
【図１】
2010094151.tif 000003
【図２】
2010094151.tif 000004
【図３】
2010094151.tif 000005